【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
複数の紙面について、各紙面の製版データと該紙面の関連情報とを含む印刷データを上記紙面毎に紙面データとして保存したサーバと、上記サーバに接続され上記印刷データを取得し印刷装置を制御する制御装置に上記複数の印刷データのうちの対応する紙面データを出力する端末装置と、を用いて行なう印刷準備方法であって、
上記印刷データには、上記複数の紙面のうちの一部の紙面であって刷版を付け替えての印刷を行う特定紙面に対応して上記刷版を１単位とする複数組の選択用の紙面データが含まれ、
上記端末装置において上記特定紙面の上記の複数組の選択用の紙面データの中から、一つを選択する印刷ジョブ選択工程を印刷前工程として実施して、上記印刷ジョブ選択工程で選択された上記紙面データを上記制御装置に送信する
ことを特徴とする、印刷準備方法。
【請求項２】
上記紙面データは紙面の関連情報としてジョブ情報を含んでいる
ことを特徴とする、請求項１記載の印刷準備方法。
【請求項３】
複数の紙面について、各紙面の製版データと該紙面の関連情報とを含む印刷データを上記紙面毎に紙面データとして保存したサーバと、上記サーバに接続され上記複数の印刷データを取得し印刷装置を制御する制御装置に上記複数の印刷データのうちの対応する紙面データを出力する端末装置と、をそなえた印刷準備システムであって、
上記印刷データには、上記複数の紙面のうちの一部の紙面であって刷版を付け替えての印刷を行う特定紙面に対応して上記刷版を１単位とする複数組の選択用の紙面データが含まれ、
上記端末装置は、
上記複数組の選択用の上記紙面データのうちの一つを選択操作するための選択操作手段をそなえるとともに、上記選択操作手段により選択された当該紙面データを上記制御装置に送信可能に構成されている
ことを特徴とする、印刷準備システム。
【請求項４】
上記紙面データは紙面の関連情報としてジョブ情報を含んでいる
ことを特徴とする、請求項３記載の印刷準備システム。
【請求項５】
複数の紙面について、各紙面の製版データと該紙面の関連情報とを含む印刷データを上記紙面毎に紙面データとして保存したサーバと、複数の印刷装置を備え印刷を行う印刷機と、上記印刷機に付設され印刷した紙面状況を検出する検出手段と、上記紙面データと上記検出手段から送られた検出情報とに基づいて上記各印刷装置を制御する制御装置と、をそなえた印刷システムに使用される端末装置であって、
上記印刷データには、上記複数の紙面のうちの一部の紙面であって刷版を付け替えての印刷を行う特定紙面に対応して上記刷版を１単位とする複数組の選択用の紙面データが含まれ、
印刷前工程で、上記複数組の選択用の上記紙面データをディスプレイ表示する選択用データ表示手段と、
表示された上記複数組の選択用の上記紙面データのうちの一つを選択操作するための選択操作手段とをそなえ、
上記選択用データ表示手段は、上記選択操作手段により選択された当該紙面データに含まれる上記製版データをディスプレイ表示すると共に、上記紙面データ出力手段は、上記選択操作手段により選択された当該紙面データを上記制御装置に送信する
ことを特徴とする、印刷システムの端末装置。
【請求項６】
複数の紙面について、各紙面の製版データと該紙面の関連情報とを含む印刷データを上記紙面毎に紙面データとして保存したサーバと、複数の印刷装置を備え印刷を行う印刷機と、上記印刷機に付設され印刷した紙面状況を検出する検出手段と、上記紙面データと上記検出手段から送られた検出情報とに基づいて上記各印刷装置を制御する複数の制御装置と、上記サーバに接続され上記複数の印刷データを取得し上記の各制御装置に上記複数の印刷データのうちの対応する紙面データを出力するべく、記憶・演算装置として構成される端末装置と、をそなえた印刷システムに用いるコンピュータプログラムであって、
上記印刷データには、上記複数の紙面のうちの一部の紙面であって刷版を付け替えての印刷を行う特定紙面に対応して上記刷版を１単位とする複数組の選択用の紙面データが含まれ、
上記端末装置としての記憶・演算装置であるコンピュータを、
印刷前工程で、上記複数組の選択用の上記紙面データをディスプレイ表示する選択用データ表示手段と、
表示された上記複数組の選択用の上記紙面データのうちの一つを選択操作するための選択操作手段として機能させるためのプログラム。
【請求項７】
請求項６記載のプログラムを記録した
コンピュータ読み取り可能な記録媒体。
【手続補正２】
【補正対象書類名】明細書
【補正対象項目名】発明の名称
【補正方法】変更
【補正の内容】
【発明の名称】印刷準備方法，印刷準備システム，印刷システムの端末装置及びプログラム並びに記録媒体
【手続補正３】
【補正対象書類名】明細書
【補正対象項目名】０００１
【補正方法】変更
【補正の内容】
【０００１】
本発明は、特に、全国紙等の広域対象に新聞を発行する場合に各地に設けられた新聞印刷工場における新聞の印刷等に用いて好適の、印刷準備方法，印刷準備システム，印刷システムの端末装置及びプログラム並びに記録媒体に関する。
【手続補正４】
【補正対象書類名】明細書
【補正対象項目名】０００９
【補正方法】変更
【補正の内容】
【０００９】
本発明はこのような課題に鑑み創案されたもので、製版データを利用して品質制御を行う印刷機において、短時間で品質のよい印刷を行うことができると共に、オペレータによる人為的な誤りを低減することができるようにした、印刷準備方法，印刷準備システム，印刷システムの端末装置及びプログラム並びに記録媒体を提供することを目的とする。
【手続補正５】
【補正対象書類名】明細書
【補正対象項目名】００１０
【補正方法】変更
【補正の内容】
【００１０】
上述の目的を達成するために、請求項１記載の本発明の印刷準備方法は、複数の紙面について、各紙面の製版データと該紙面の関連情報とを含む印刷データを上記紙面毎に紙面データとして保存したサーバと、上記サーバに接続され上記印刷データを取得し印刷装置を制御する制御装置に上記複数の印刷データのうちの対応する紙面データを出力する端末装置と、を用いて行なう印刷準備方法であって、上記印刷データには、上記複数の紙面のうちの一部の紙面であって刷版を付け替えての印刷を行う特定紙面に対応して上記刷版を１単位とする複数組の選択用の紙面データが含まれ、上記端末装置において上記特定紙面の上記の複数組の選択用の紙面データの中から、一つを選択する印刷ジョブ選択工程を印刷前工程として実施して、上記印刷ジョブ選択工程で選択された上記紙面データを上記制御装置に送信することを特徴としている。
【手続補正６】
【補正対象書類名】明細書
【補正対象項目名】００１１
【補正方法】変更
【補正の内容】
【００１１】
また、請求項２記載の本発明の印刷準備方法は、請求項１のものにおいて、上記紙面データは紙面の関連情報としてジョブ情報を含んでいることを特徴としている。
【手続補正７】
【補正対象書類名】明細書
【補正対象項目名】００１２
【補正方法】変更
【補正の内容】
【００１２】
また、請求項３記載の本発明の印刷準備システムは、複数の紙面について、各紙面の製版データと該紙面の関連情報とを含む印刷データを上記紙面毎に紙面データとして保存したサーバと、上記サーバに接続され上記複数の印刷データを取得し印刷装置を制御する制御装置に上記複数の印刷データのうちの対応する紙面データを出力する端末装置と、をそなえた印刷準備システムであって、上記印刷データには、上記複数の紙面のうちの一部の紙面であって刷版を付け替えての印刷を行う特定紙面に対応して上記刷版を１単位とする複数組の選択用の紙面データが含まれ、上記端末装置は、上記複数組の選択用の上記紙面データのうちの一つを選択操作するための選択操作手段をそなえるとともに、上記選択操作手段により選択された当該紙面データを上記制御装置に送信可能に構成されていることを特徴としている。
【手続補正８】
【補正対象書類名】明細書
【補正対象項目名】００１３
【補正方法】変更
【補正の内容】
【００１３】
また、請求項４記載の本発明の印刷準備システムは、請求項３のものにおいて、上記紙面データは紙面の関連情報としてジョブ情報を含んでいることを特徴としている。
【手続補正９】
【補正対象書類名】明細書
【補正対象項目名】００１４
【補正方法】変更
【補正の内容】
【００１４】
また、請求項５記載の本発明の印刷システムの端末装置は、複数の紙面について、各紙面の製版データと該紙面の関連情報とを含む印刷データを上記紙面毎に紙面データとして保存したサーバと、複数の印刷装置を備え印刷を行う印刷機と、上記印刷機に付設され印刷した紙面状況を検出する検出手段と、上記紙面データと上記検出手段から送られた検出情報とに基づいて上記各印刷装置を制御する制御装置と、をそなえた印刷システムに使用される端末装置であって、上記印刷データには、上記複数の紙面のうちの一部の紙面であって刷版を付け替えての印刷を行う特定紙面に対応して上記刷版を１単位とする複数組の選択用の紙面データが含まれ、印刷前工程で、上記複数組の選択用の上記紙面データをディスプレイ表示する選択用データ表示手段と、表示された上記複数組の選択用の上記紙面データのうちの一つを選択操作するための選択操作手段とをそなえ、上記選択用データ表示手段は、上記選択操作手段により選択された当該紙面データに含まれる上記製版データをディスプレイ表示すると共に、上記紙面データ出力手段は、上記選択操作手段により選択された当該紙面データを上記制御装置に送信することを特徴としている。
【手続補正１０】
【補正対象書類名】明細書
【補正対象項目名】００１５
【補正方法】変更
【補正の内容】
【００１５】
また、請求項６記載の本発明のコンピュータプログラムは、複数の紙面について、各紙面の製版データと該紙面の関連情報とを含む印刷データを上記紙面毎に紙面データとして保存したサーバと、複数の印刷装置を備え印刷を行う印刷機と、上記印刷機に付設され印刷した紙面状況を検出する検出手段と、上記紙面データと上記検出手段から送られた検出情報とに基づいて上記各印刷装置を制御する複数の制御装置と、上記サーバに接続され上記複数の印刷データを取得し上記の各制御装置に上記複数の印刷データのうちの対応する紙面データを出力するべく、記憶・演算装置として構成される端末装置と、をそなえた印刷システムに用いるコンピュータプログラムであって、上記印刷データには、上記複数の紙面のうちの一部の紙面であって刷版を付け替えての印刷を行う特定紙面に対応して上記刷版を１単位とする複数組の選択用の紙面データが含まれ、上記端末装置としての記憶・演算装置であるコンピュータを、印刷前工程で、上記複数組の選択用の上記紙面データをディスプレイ表示する選択用データ表示手段と、表示された上記複数組の選択用の上記紙面データのうちの一つを選択操作するための選択操作手段として機能させるためのプログラムであることを特徴としている。
【手続補正１１】
【補正対象書類名】明細書
【補正対象項目名】００１６
【補正方法】変更
【補正の内容】
【００１６】
また、請求項７記載の本発明の記録媒体は、請求項６記載のプログラムを記録したことを特徴としている。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
したがって、本発明の印刷準備方法，印刷準備システム，印刷システムの端末装置及びプログラム並びに記録媒体によれば、印刷データをサーバからロードして、印刷データに基づいて印刷装置をフィードバック制御するので、印刷時の立ち上げ制御等を速やかに行うことができ、また、刷版の付け替え用のデータなど、サーバに複数の選択用データがある場合に、ジョブ選択工程において所望の印刷データを選択でき、画像確認工程で選択した印刷データを作業者が確認できるので、サーバに印刷用のデータが複数存在する場合でも所望のデータを円滑にロードできる上、オペレータの操作ミス等で誤った印刷データをロードした場合でも直ぐに誤りを発見して、速やかに所望の印刷データを再ロードにすることができる。
【手続補正１４】
【補正対象書類名】明細書
【補正対象項目名】００１９
【補正方法】変更
【補正の内容】
【００１９】
また、ジョブ選択工程において、作業者がディスプレイ表示を目視して複数のジョブを明確に理解することができ、選択操作手段を通じて確実に所望の印刷データをジョブ選択することができる。
また、低速印刷工程及び通常印刷工程を含む印刷工程において、検出手段による検出情報に基づいて印刷欠陥検査を行うので、インキ落ち、濃度変動、油たれ等の欠陥が印刷した紙面上に発生していることを発見することができ、良好な印刷管理を行うことができる。
【手続補正１５】
【補正対象書類名】明細書
【補正対象項目名】００２０
【補正方法】変更
【補正の内容】
【００２０】
また、ＩＧＲＢ濃度計によって、印刷した紙面の反射光から確実に紙面の状況を検出することができる。
また、印刷データに基づいてインキ供給装置のインキ供給量を速やかに調整することができる。
【手続補正１６】
【補正対象書類名】明細書
【補正対象項目名】００２１
【補正方法】変更
【補正の内容】
【００２１】
また、各印刷装置毎に印刷特性情報を取得して、印刷データと各印刷装置印刷情報とによって求めた制御目標に基づいて、各印刷装置に応じた適切なインキ供給量を調整することができる。
また、低速印刷工程において印刷欠陥検査を比較的緩やかな検査基準で行い、通常印刷工程においては印刷欠陥検査を比較的厳しい検査基準（許容範囲）で行うので、まだ印刷濃度等が落ち着いていない、低速印刷工程において正常な紙面を欠陥紙面と誤判定することを防止でき、印刷濃度等が落ち着く通常印刷工程においては比較的厳しい検査基準（許容範囲）で印刷欠陥検査を行い、インキ落ち、濃度変動、油たれ等の欠陥が印刷した紙面上に発生していることを確実に発見することができる。
【手続補正１７】
【補正対象書類名】明細書
【補正対象項目名】００２２
【補正方法】変更
【補正の内容】
【００２２】
また、サーバに保存されている印刷データをサーバから端末装置及び各印刷装置の制御装置にロードして、制御装置は印刷データに基づいて各印刷装置の制御要素をフィードバック制御するので、印刷機の立ち上げ制御等にかかる時間を低減することができ、また、選択用データ表示手段が刷版の付け替え用のデータなど、サーバに複数の選択用データがある場合には、選択用データをディスプレイ表示し、選択操作手段によって所望の選択用データ選択できるので、作業者がサーバに印刷用のデータが複数存在する場合でも所望のデータを円滑に選択できる上、誤ったデータを選択した場合でも直ぐに発見して選択操作手段によって速やかに所望の印刷データを選択し直すことができる。
【手続補正１８】
【補正対象書類名】明細書
【補正対象項目名】００２３
【補正方法】変更
【補正の内容】
【００２３】
また、ＩＧＲＢ濃度計によって、印刷した紙面の反射光から確実に紙面の状況を検出することができる。
また、印刷データに基づいてインキ供給装置のインキ供給量を速やかに制御することができる。
【手続補正１９】
【補正対象書類名】明細書
【補正対象項目名】００２４
【補正方法】変更
【補正の内容】
【００２４】
また、各印刷装置毎の印刷特性情報を取得して、印刷データ及び／又は指令と各印刷装置印刷情報とによって求めた制御目標に基づいて、各印刷装置に応じた適切なインキ供給量を調整することができる。
【手続補正２０】
【補正対象書類名】明細書
【補正対象項目名】００２５
【補正方法】変更
【補正の内容】
【００２５】
以下、図面により、本発明の実施の形態について説明する。図１〜図１９は本発明の一実施形態にかかる印刷準備方法及び印刷準備システムに関して示すもので、理解容易のために新聞印刷においてこの印刷制御方法を適用した印刷システムを想定し、これらの図に基づいて説明する。
まず、本実施形態にかかる新聞印刷システムの構成について説明すると図２に示すように、各新聞印刷工場の外部（通常、新聞社の本社）に設けられた編集センター（新聞のみならず例えばインターネット等、他のメディアも含んだ複合メディアに関して編集を行なうセンター）で、新聞の編集作業を行ない、編集作業の結果は、印刷データとして通信ネットワークを介して本社サーバ５０から各地の新聞印刷工場側に設けられたデータサーバ５１に送られるようになっている。なお、印刷データは、各紙面の製版データ（製版に用いる画像データ、印刷画像データともいう）と各紙面に関連する関連情報とを含み、各紙面単位の印刷データについては紙面データと呼ぶ。
【手続補正２１】
【補正対象書類名】明細書
【補正対象項目名】００４０
【補正方法】変更
【補正の内容】
【００４０】
本発明の一実施形態にかかる、印刷準備方法及び印刷準備システムは上述のごとく構成されているので図１に示す手順で印刷機による印刷が行われる。
図１に示すように、まず、ステップＳ１０１において、オペレータが印刷機ＯＴ１０１及び印刷機１０２の電源をオンとすると、このオン情報を受け付けた印刷機ＯＴ１０１は、ステップＳ１０２においてデータサーバ５１から上述の紙面関連情報を含む紙面データをロードする（運転条件ロード工程）。そして、ロードした紙面データの情報は印刷機ＯＴ１０１の入力・表示装置に表示される。また、紙面データに含まれる「印刷装置情報」に対応する印刷装置１０３の制御装置１０４にそれぞれ紙面データが供給される（運転条件ロード工程）。